(57)【要約】【課題】小型化したレンズ鏡筒及び光学機器を提供する。【解決手段】レンズ鏡筒（１）を、光軸（Ａ）に平行な軸部（８３）に軸支された保持枠（８２）に保持され、当該保持枠が前記軸部を中心に回転することによって光軸に直交する平面内における第１の位置と第２の位置との間を移動するレンズ（Ｌ２）と、前記保持枠に設けられ、前記光軸に直交する方向に突き出して形成された突起（８５）と、前記突起に当接した状態で前記レンズを前記第１の位置に保持する保持面部（７０ａ）及び前記保持面部の一部に形成された凹部（７２）を含み、前記保持枠に対して移動可能な移動部材（７０）とを備える構成とし、前記突起は、前記移動部材の移動に伴って前記保持面部に当接した状態と前記凹部に収容された状態との間を移行し、前記レンズは、前記突起が前記凹部に収容された状態で前記第２の位置に保持される構成とした。【選択図】図５
2010026163.tif 000002
【特許請求の範囲】
【請求項１】
光軸に平行な軸部に軸支された保持枠に保持され、当該保持枠が前記軸部を中心に回転することによって前記光軸に直交する平面内における第１の位置と第２の位置との間を移動するレンズと、
前記保持枠に設けられ、前記光軸に直交する方向に突き出して形成された突起と、
前記突起に当接した状態で前記レンズを前記第１の位置に保持する保持面部及び前記保持面部の一部に形成された凹部を含み、前記保持枠に対して移動可能な移動部材と
を備えるレンズ鏡筒であって、
前記突起は、前記移動部材の移動に伴って前記保持面部に当接した状態と前記凹部に収容された状態との間を移行し、
前記レンズは、前記突起が前記凹部に収容された状態で前記第２の位置に保持されること
を特徴とするレンズ鏡筒。
【請求項２】
請求項１に記載のレンズ鏡筒において、
前記突起が前記移動部材の前記保持面部を押圧する方向に前記保持枠を付勢する付勢部を備えること
を特徴とするレンズ鏡筒。
【請求項３】
請求項１又は請求項２に記載のレンズ鏡筒において、
前記突起は、前記移動部材が第１の方向に移動することによって、前記保持面部に摺動した後に前記凹部内に収容され、
前記凹部は、前記突起を収容した状態で前記移動部材がさらに第１の方向に移動した場合であっても、前記突起を収容した状態を維持する収容維持領域を含むこと
を特徴とするレンズ鏡筒。
【請求項４】
請求項３に記載のレンズ鏡筒において、
前記移動部材は、前記突起を前記凹部に収容した状態で前記第１の方向に移動することによって前記保持枠を前記光軸方向に移動させるカム溝を備え、
前記収容維持領域は、前記カム溝と平行に形成された平行溝部であり、
前記保持枠が前記光軸方向に移動する際、前記突起は、前記平行溝部内を移動すること
を特徴とするレンズ鏡筒。
【請求項５】
請求項１から請求項４までのいずれか１項に記載のレンズ鏡筒において、
前記保持枠は、前記軸部を中心とした回転動作に連動して前記移動部材に対して前記光軸方向へ移動し、
前記移動部材に設けられた前記凹部は、前記光軸と平行に設けられた直線溝部を含み、
前記突起は、前記保持枠が前記光軸方向へ移動する際に前記直線溝部内を移動すること
を特徴とするレンズ鏡筒。
【請求項６】
請求項１から請求項５までのいずれか１項に記載のレンズ鏡筒において、
前記保持枠は、前記軸部に軸支される軸受部、前記レンズを保持する保持部、及び、前記軸受部と前記保持部とを接続する接続部を含み、
前記突起は、前記軸受部に形成されること
を特徴とするレンズ鏡筒。
【請求項７】
請求項１から請求項６までのいずれか１項に記載のレンズ鏡筒において、
前記移動部材は、前記保持枠を内径側に収容する筒体であり、
前記保持面部及び前記凹部は、それぞれ前記移動部材の内周面に形成され、
前記突起は、前記移動部材がその中心周りに回転することによって前記保持面部に当接した状態と前記凹部に収容された状態との間を移行すること
を特徴とするレンズ鏡筒。
【請求項８】
請求項１から請求項７までのいずれか１項に記載のレンズ鏡筒を含むこと
を特徴とする光学機器。
【発明の詳細な説明】
【技術分野】
【０００１】
本発明は、レンズ鏡筒及び光学機器に関するものである。
【背景技術】
【０００２】
従来、撮影時と非撮影時とで全長が変化する沈胴式のレンズ鏡筒としては、一部のレンズを沈胴動作に連動して光路から退避させて、収容時の全長を短くするものが知られている（例えば、特許文献１参照）。
【特許文献１】特開２００３−１４９７２３号公報
【発明の開示】
【発明が解決しようとする課題】
【０００３】
上記公報に記載のレンズ鏡筒は、モータを使用してレンズを退避させる構成であり、レンズ鏡筒が大型化する可能性があった。
本発明の課題は、小型化したレンズ鏡筒及び光学機器を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、光軸（Ａ）に平行な軸部（８３）に軸支された保持枠（８２）に保持され、当該保持枠が前記軸部を中心に回転することによって前記光軸に直交する平面内における第１の位置と第２の位置との間を移動するレンズ（Ｌ２）と、前記保持枠に設けられ、前記光軸に直交する方向に突き出して形成された突起（８５）と、前記突起に当接した状態で前記レンズを前記第１の位置に保持する保持面部（７０ａ）及び前記保持面部の一部に形成された凹部（７２）を含み、前記保持枠に対して移動可能な移動部材（７０）とを備えるレンズ鏡筒であって、前記突起は、前記移動部材の移動に伴って前記保持面部に当接した状態と前記凹部に収容された状態との間を移行し、前記レンズは、前記突起が前記凹部に収容された状態で前記第２の位置に保持されることを特徴とするレンズ鏡筒（１）である。
【０００５】
請求項２の発明は、請求項１に記載のレンズ鏡筒において、前記突起（８５）が前記移動部材（７０）の前記保持面部（７０ａ）を押圧する方向に前記保持枠（８２）を付勢する付勢部（８４）を備えることを特徴とするレンズ鏡筒（１）である。
請求項３の発明は、請求項１又は請求項２に記載のレンズ鏡筒において、前記突起（８５）は、前記移動部材（７０）が第１の方向に移動することによって、前記保持面部（７０ａ）に摺動した後に前記凹部（７２）内に収容され、前記凹部は、前記突起を収容した状態で前記移動部材がさらに第１の方向に移動した場合であっても、前記突起を収容した状態を維持する収容維持領域（７３）を含むことを特徴とするレンズ鏡筒（１）である。
請求項４の発明は、請求項３に記載のレンズ鏡筒において、前記移動部材（７０）は、前記突起（８５）を前記凹部（７２）に収容した状態で前記第１の方向に移動することによって前記保持枠（８２）を前記光軸方向に移動させるカム溝（７１）を備え、前記収容維持領域は、前記カム溝と平行に形成された平行溝部（７３）であり、前記保持枠が前記光軸方向に移動する際、前記突起は、前記平行溝部内を移動することを特徴とするレンズ鏡筒（１）である。
請求項５の発明は、請求項１から請求項４までのいずれか１項に記載のレンズ鏡筒において、前記保持枠（８２）は、前記軸部（８３）を中心とした回転動作に連動して前記移動部材（７０）に対して前記光軸方向へ移動し、前記移動部材に設けられた前記凹部は、前記光軸（Ａ）と平行に設けられた直線溝部（７２）を含み、前記突起（８５）は、前記保持枠が前記光軸方向へ移動する際に前記直線溝部内を移動することを特徴とするレンズ鏡筒（１）である。
請求項６の発明は、請求項１から請求項５までのいずれか１項に記載のレンズ鏡筒において、前記保持枠（８２）は、前記軸部（８３）に軸支される軸受部（８２ｃ）、前記レンズ（Ｌ２）を保持する保持部（８２ａ）、及び、前記軸受部と前記保持部とを接続する接続部（８２ｂ）を含み、前記突起（８５）は、前記軸受部（８２ｃ）に形成されることを特徴とするレンズ鏡筒（１）である。
請求項７の発明は、請求項１から請求項６までのいずれか１項に記載のレンズ鏡筒において、前記移動部材は、前記保持枠（８２）を内径側に収容する筒体（７０）であり、前記保持面部（７０ａ）及び前記凹部（７２）は、それぞれ前記移動部材の内周面に形成され、前記突起（８５）は、前記移動部材がその中心周りに回転することによって前記保持面部に当接した状態と前記凹部に収容された状態との間を移行することを特徴とするレンズ鏡筒（１）である。
請求項８の発明は、請求項１から請求項７までのいずれか１項に記載のレンズ鏡筒（１）を含むことを特徴とする光学機器（１００）である。
なお、符号を付して説明した構成は、適宜改良してもよく、また、少なくとも一部を他の構成物に代替してもよい。
【発明の効果】
【０００６】
本発明によれば、小型化したレンズ鏡筒及び光学機器を提供することができる。
【発明を実施するための最良の形態】
【０００７】
以下、図面等を参照して、本発明を適用したレンズ鏡筒の実施形態を含むカメラについて説明する。
図１は、実施形態のレンズ鏡筒の断面図であり、撮影状態を示している。
図２は、図１に示すレンズ鏡筒の沈胴状態を示している。
以下、図１を含む各図において、Ｘ軸−Ｙ軸−Ｚ軸からなる３次元座標系を設定して説明する。
実施形態のレンズ鏡筒１は、例えば、撮影時と非撮影時とで光軸方向の全長が変化する沈胴式のレンズ鏡筒である。レンズ鏡筒１は、撮影時においてカメラ本体１００からその一部が突き出し、非撮影時においてその略全体がカメラ本体１００に収容される。
【０００８】
レンズ鏡筒１は、第１レンズ群Ｌ１、第２レンズ群Ｌ２、第３レンズ群Ｌ３、ＣＣＤ１０、固定筒２０、回転筒３０、直進カム筒４０、直進筒５０、第１レンズ群保持筒６０、回転カム筒７０、２群支持部８０、及び、シャッタユニット９０等を備えている。
第１レンズ群Ｌ１、第２レンズ群Ｌ２、及び、第３レンズ群Ｌ３は、３群構成のズームレンズを形成し、光軸（図１において、符号Ａを付して説明する）方向の被写体側から撮影者側に向かってこの順番で配置されている。第２レンズ群Ｌ２の入射面は、光軸方向被写体側に張り出した凸レンズとなっている。
【０００９】
ＣＣＤ１０は、上記レンズ群Ｌ１〜Ｌ３を通過した被写体光を電気信号に変換する光−電気変換素子である。ＣＣＤ１０は、第３レンズ群Ｌ３の出射側に配置されている。ＣＣＤ１０は、ＣＣＤ台１１と称される略円盤状の部材に固定されている。
【００１０】
固定筒２０は、光軸方向撮影者側の端部がＣＣＤ台１１に固定された筒体である。
回転筒３０は、固定筒２０の内径側に収容された筒体である。回転筒３０は、図示しないアクチュエータの出力が伝達されると、これに応じて中心軸線周りに回転し、固定筒２０と回転筒３０とに設けられた図示しないヘリコイドネジに案内されて光軸方向に進退動作を行う。
直進カム筒４０は、回転筒３０と一体的に光軸方向に移動する筒体であり、回転筒３０の内径側に収容されている。直進カム筒４０は、固定筒２０の内周面に形成された直進溝に挿入される突起（それぞれ図示を省略する）を備えており、光軸方向への移動時には、回転動作を伴わずに直進移動をする。
【００１１】
直進筒５０は、直進カム筒４０の内径側に収容された筒体である。直進筒５０は、直進カム筒４０に形成された直進溝を貫通するカムフォロワ５１を備えている。このカムフォロワ５１の先端部は、回転筒３０に形成されたカム溝に挿入されており、直進筒５０は、回転筒３０の回転動作に連動して光軸方向に直進移動する。
【００１２】
第１レンズ群保持筒６０は、直進筒５０の内径側に収容された筒体であり、光軸方向被写体側の端部に第１レンズ群Ｌ１を保持する１群保持枠６１が固定されている。
第１レンズ群保持筒６０は、図示しないカム機構によって直進筒５０に対して光軸方向に直進移動が可能となっている。第１レンズ群保持筒６０には、非撮影時に第１レンズ群Ｌ１の入射面を保護するレンズバリアユニット６２が光軸方向被写体側の端部に接続されている。
【００１３】
回転カム筒７０は、第１レンズ群保持筒６０の内径側に収容された筒体である。回転カム筒７０の外周面には、カム溝が形成されており、第１レンズ群保持筒６０に設けられたカムフォロワ６３が挿入されている。
回転カム筒７０は、レンズ鏡筒１が図２に示す沈胴状態から図１に示す撮影状態に移行する際、及び、撮影状態においてズームレンズがテレ位置とワイド位置との間を移動する際に中心軸線周りに回転動作を行う。なお、ズームレンズのテレ位置とは、ズームレンズの焦点距離が最長（撮影画角が最小）となる位置をさし、ワイド位置とは、焦点距離が最短（撮影画角が最大）となる位置をさすものとする。
【００１４】
２群支持部８０は、第２レンズ群Ｌ２を支持する部分である。２群支持部８０は、回転カム筒７０の内周面に形成されたカム溝７１に挿入されたカムフォロワ８０ａを備えており、回転カム筒７０の回転動作に連動して光軸方向に直進移動する。
２群支持部８０の構成については、後に詳しく説明するものとする。
【００１５】
シャッタユニット９０は、第２レンズ群Ｌ２の入射面側に配置された公知のレンズシャッタ装置であり、２群支持部８０に固定されている。シャッタユニット９０は、第１〜第３レンズ群Ｌ１〜Ｌ３を通過する被写体光の光路を遮蔽する遮蔽位置と、光路から退避する退避位置との間を移動可能なシャッタ羽根９１を備えている。
【００１６】
ここで、レンズ鏡筒１は、図１に示す撮影状態から図２に示す沈胴状態に移行する際に、第２レンズ群Ｌ２が光軸Ａに直交する面内を移動（スライド）して他のレンズ群Ｌ１、Ｌ３の光路から退避する。そして、レンズ鏡筒１の沈胴状態において、第２レンズ群Ｌ２が退避して形成されたスペースには、図２に示すように、第３レンズ群Ｌ３が収容されるようになっている。レンズ鏡筒１は、これによって沈胴状態における全長を短くできるようになっている。
【００１７】
第２レンズ群Ｌ２は、カメラの電源がオフの状態では、図２に示す退避位置に退避しており、電源がオン操作されると、撮影位置（第２レンズ群Ｌ２の光軸と他のレンズ群Ｌ１、Ｌ３との光軸が実質的に一致した位置）に移動する。
以下、第２レンズ群Ｌ２の移動機構について説明する。
【００１８】
図３は、図１に示すレンズ鏡筒に備えられた回転カム筒及び２群支持部を光軸方向からみた平面図である。この図３は、第２レンズ群Ｌ２が退避位置に配置された沈胴状態（図２参照）を示している。
２群支持部８０は、円筒状に形成された本体部８１と、第２レンズ群Ｌ２を保持する枠体である２群保持枠８２とを備えている。
本体部８１の外周面には、前述した回転カム筒７０のカム溝７１に挿入されるカムフォロワ８０ａが設けられている。カムフォロワ８０ａは、略等しい間隔で、例えば、３つが設けられている。前述のシャッタユニット９０は、図１に示すように本体部８１に固定されている。
【００１９】
２群保持枠８２は、第２レンズ群Ｌ２を内径側に収容する円環状の部分である保持部８２ａと、この保持部８２ａの外周面から突き出して形成された腕部８２ｂとを備えている。腕部８２ｂの先端部には、円筒状に形成された軸受部８２ｃが設けられている。本体部８１には、光軸Ａに略平行に延在する回転軸８３が設けられている。２群保持枠８２は、軸受部８２ｃを介して回転軸８３に回転可能に軸支されている。
２群保持枠８２は、本体部８１に設けられたねじりバネ８４によって撮影位置に付勢されており、図３に示す退避位置では、ねじりバネ８４の付勢力に抗して退避位置に退避している。このねじりバネ８４は、圧縮コイルバネとしての機能も備えており、２群保持枠８２を本体部８１に固定されたシャッタユニット９０に接近する方向に付勢している。
【００２０】
２群保持枠８２における軸受部８２ｃの外周面には、腕部８２ｂとは反対側の領域から軸受部８２ｃの外径側に突き出して形成された突起８５が設けられている。２群保持枠８２は、この突起８５が回転カム筒７０の内周面に接触することによって、ねじりバネ８４の付勢力に抗して退避位置に退避している。
【００２１】
図３に示す第２レンズ群Ｌ２が退避した沈胴状態から、カメラの電源スイッチがオン操作されると、レンズ鏡筒１は、カメラ本体１００から突き出した図１に示す撮影状態に移行する。このときのズームレンズは、ワイド位置とされる。
レンズ鏡筒１は、沈胴状態から撮影状態に移行する際、回転カム筒７０が回転して２群支持部８０を光軸方向被写体側に移動させる。
【００２２】
図４は、図１に示すレンズ鏡筒に備えられた回転カム筒の内周面を示す展開図である。
回転カム筒７０は、２群支持部に設けられたカムフォロワ８０ａが挿入されるカム溝７１が形成されている。カム溝７１は、回転カム筒７０の中心軸周りに略等しい間隔で３本が設けられている。なお、図４ではカムフォロワ８０ａの移動の状態を示すためにカムフォロワ８０ａを複数図示しているが、１本のカム溝７１に対して挿入されるカムフォロワ８０ａはひとつである。
【００２３】
カム溝７１は、レンズ鏡筒１が沈胴状態から撮影状態に移行する際に２群支持部８０を駆動する領域７１ａと、ズームレンズがワイド位置とテレ位置との間を移動する際に、２群支持部８０を光軸方向に駆動する領域７１ｂとでカム溝の勾配が逆になっており、平面視で略Ｖ字状に形成されている。
カムフォロワ８０ａは、レンズ鏡筒１が沈胴状態から撮影状態に移行する際は、回転カム筒７０の回転に応じてカム溝７１の領域７１ａ内を移動し、撮影状態でズームレンズの焦点距離を変化させる際は、カム溝７１の領域７１ｂ内を移動する。
【００２４】
ここで、レンズ鏡筒１は、前述したように図３に示す沈胴状態（第２レンズ群Ｌ２の退避状態）では、２群保持枠８２に備えられた突起８５が回転カム筒７０の内周面７０ａに当接している。図４に示す回転カム筒７０の内周面の展開図において、突起８５と回転カム筒７０の内周面７０ａとの当接位置に符号Ｂを付して説明する。
【００２５】
図３に示す沈胴状態で回転カム筒７０が回転すると、２群支持部８０は、２群保持枠８２と一体に光軸方向に直進動作を行う。
図５は、図１に示すレンズ鏡筒に備えられた回転カム筒及び２群支持部を光軸方向からみた平面図であり、第２レンズ群Ｌ２が退避位置と撮影位置との中間に配置された状態を示している。
【００２６】
図４に示すように、回転カム筒７０の内周面には、２群支持部８０を光軸方向に駆動するカム溝７１の他に、２群保持枠８２を退避位置と撮影位置との間で駆動する駆動溝７２が形成されている。駆動溝７２は、光軸Ａに略平行に形成されている。なお、図４では突起８５の移動の状態を示すために突起８５を複数図示しているが、１本の駆動溝７２に対して挿入される突起８５はひとつである。
【００２７】
２群保持枠８２に形成された突起８５は、２群支持部８０が光軸方向撮影者側に移動するのに連動して回転カム筒７０の内周面に摺動しながら光軸方向撮影者側に移動する。そして、突起８５は、ねじりバネ８４によって回転カム筒７０の内周面７０ａを押圧する方向に付勢されているので、この後、回転カム筒７０の回転に応じて駆動溝７２に収容される。
図５は、突起８５の一部（半分程度）が駆動溝７２に挿入された状態を示している。また、図４において、このときの突起８５の移動軌跡に対して符号Ｃを付して説明する。
【００２８】
図６は、図１に示すレンズ鏡筒に備えられた回転カム筒及び２群支持部を光軸方向からみた平面図であり、第２レンズ群Ｌ２が撮影位置に配置された状態のレンズ鏡筒１を示している。
図６に示すように、突起８５が駆動溝７２に挿入されると、第２レンズ群Ｌ２の光軸が他のレンズ群Ｌ１、Ｌ３の光軸と実質的に一致した撮影位置となる。この撮影位置において、２群保持枠８２の保持部８２ａから突き出して形成された位置決め突起８２ｄが、本体部８１の内周面に形成された位置決め切欠部８１ａに挿入される。
２群支持部８０は、ねじりバネ８４の付勢力によって位置決め突起８２ｄの先端部が位置決め切欠部８１ａの内側面を押圧しており、第２レンズ群Ｌ２は、ズームレンズがワイド位置とテレ位置との間を移動する際、撮影位置に保持される。
【００２９】
ここで、２群保持枠８２は、回転軸８３を中心に回転して退避位置から撮影位置に移動する際、本体部８１に対して光軸方向の被写体側（シャッタユニット９０に接近する方向）に移動するようになっている。
【００３０】
図７は、図１に示すレンズ鏡筒に備えられた２群保持枠の軸受構造を示す図である。
この図７において、（ａ）は、第２レンズ群Ｌ２が退避位置にある状態（図２参照）の２群保持枠８２を示している。また、（ｃ）は、第２レンズ群Ｌ２が撮影位置にある状態（図１参照）の２群保持枠８２を示している。（ｂ）は、２群保持枠８２が（ａ）に示す状態から（ｃ）に示す状態に移行する途中の状態を示している。
また、図７（ａ）〜（ｃ）の各図には、２群保持枠８２の回転の様子を示す平面図と軸受部８２ｃの展開図とを示している。
【００３１】
２群保持枠８２の軸受部８２ｃは、円筒形状に形成されている。軸受部８２ｃには、本体部８１に対向する端面を回転軸８３の軸線方向に凹ませて形成した凹部８６が設けられている。凹部８６は、回転軸８３を挟んで２箇所に形成されている。回転軸８３の本体部８１に対向する端面と凹部８６の底面８６ａとは、光軸Ａに直交する平面に対して傾斜して設けられたカム面８７を介した連続面となっている。
一方、本体部８１には、軸受部８２ｃに設けられた凹部８６に対応する凸部８８が形成されている。本体部８１の軸受部８２ｃに対向する面部と凸部８８の先端面８８ａとは、カム面８９を介した連続面になっている。
【００３２】
第２レンズ群Ｌ２が退避位置にある状態（図２、図３参照）では、図７（ａ）に示すように、凸部８８の先端面８８ａが軸受部８２ｃにおける本体部８１に対向する端面に当接しており、これらの面部が第２レンズ群Ｌ２の光軸方向の位置を規定している。
そして、撮影位置に移動するために２群保持枠８２が回転軸８３周りに回転して、図７（ｂ）に示すような軸受部８２ｃのカム面８７と本体部８１のカム面８９とが重なる位置となると、軸受部８２ｃは、ねじりバネ８４の光軸方向への付勢力によって本体部８１に接近する方向に移動する。このときカム面８７とカム面８９とは、摺動する。
【００３３】
第２レンズ群Ｌ２が撮影位置に配置された状態（図１、図６参照）では、図７（ｃ）に示すように凸部８８が凹部８６内に収容されており、図７（ａ）に示す第２レンズ群Ｌ２が退避位置にある状態に比べ、２群保持枠８２と本体部８１とが接近する。第２レンズ群Ｌ２は、退避位置にある場合に比べ、撮影位置においてシャッタユニット９０に接近する（図１及び図２参照）。
また、この図７（ｃ）に示す状態において、カム面８７及びカム面８９、凹部８６の底面８６ａ及び凸部８８の先端面８８ａは、それぞれ接触せず、第２レンズ群Ｌ２の光軸方向の位置は、軸受部８３ｃの凹部８６よりも内径側の領域に設けられた位置決め面部８３ｅが本体部８１に当接することによって規定される（図１参照）。
【００３４】
このように、第２レンズ群Ｌ２は、退避位置から撮影位置への移動動作（回転動作）と併せて、光軸方向への移動動作（直進動作）を行う。そして、レンズ鏡筒１は、この第２レンズ群Ｌ２の光軸方向への移動動作によって、第２レンズ群Ｌ２における入射側のレンズ頂点の光軸方向の位置（図１において符号Ｄを付す）が、シャッタユニット９０の光軸方向の位置（図１において符号Ｅを付す）と重なるようになっている。
２群保持枠８２は、図１に示す撮影状態から図２に示す沈胴状態に移行する際は、上述した図７（ａ）〜（ｃ）とは、逆の動きを行う。２群保持枠８２が上述の場合とは反対の方向に回転するときは、カム面８７、８９が２群保持枠８２に作用する回転方向の力を光軸方向の力に変換し、２群保持枠８２をシャッタユニット９０から離間する方向（撮影者側）へ移動させる。２群保持枠８２は、回転軸８３周りの回転動作を行うが、カム面８７、８９は、２群保持枠８２が回転動作を開始した直後に２群保持枠８２をシャッタユニット９０から離間する方向に移動させるので、２群保持枠８２とシャッタユニット９０とが干渉することがない。
【００３５】
ここで、２群保持枠８２が回転動作に連動して光軸方向に移動しないレンズ鏡筒（図示省略）と比較すると、本実施形態のレンズ鏡筒１は、撮影状態で第２レンズ群Ｌ２とシャッタユニット９０とを接近させることができるので、２群保持枠８２の光軸方向への移動量の分、レンズ鏡筒１の光軸方向の寸法を短くできる。
【００３６】
以上説明したように、２群保持枠８２は、回転動作に伴って光軸方向に移動するので、これに併せて突起８５も光軸方向に移動する。
これに対し、前述の駆動溝７２は、光軸Ａに平行に形成されているので、２群保持枠８２が回転動作に伴って光軸方向に移動する際、突起８５は、駆動溝７２内を移動する。
【００３７】
レンズ鏡筒１は、図６に示す状態において第２レンズ群Ｌ２が撮影位置に配置されているが、撮影光学系全体では完全にワイド位置となっておらず、図６に示す状態からさらに回転カム筒７０が回転する。
回転カム筒７０が回転すると、カムフォロワ８０ａがカム溝７１に案内され、２群支持部８０は、光軸方向被写体側に移動し、ズームレンズがワイド位置となる。
一方、第２レンズ群Ｌ２は既に撮影位置にあり、位置決め突起８２ｄが位置決め切欠部８１ａに接触しているので、仮に２群保持枠８２を図６に示す状態以上に回転させると、腕部８２ｂ等に負荷がかかる可能性がある。
【００３８】
これに対し、本実施形態の回転カム筒７０には、駆動溝７２と連続して形成された逃げ溝７３が設けられている。逃げ溝７３はカム溝７１と平行に形成されている。
撮影位置の２群保持枠８２は、本体部８１と一体的に光軸方向に移動するので、突起８５は、カムフォロワ８０ａと同じ軌跡で移動する。逃げ溝７３は、カム溝７１と平行に形成されているので、第２レンズ群Ｌ２が撮影位置に配置された状態で２群支持部８０が光軸方向に移動しても、突起８５は、逃げ溝７３内を移動するので、２群保持枠８２が回転軸８３周りに回転することがない。
ズームレンズをワイド位置とテレ位置との間で移動させる際も、突起８５は、逃げ溝７３内を移動し、第２レンズ群Ｌ２は、撮影位置に保持される。
【００３９】
以上説明した実施形態のレンズ鏡筒１によれば、以下の効果を得ることができる。
（１）退避光学系である第２レンズ群Ｌ２を退避位置と撮影位置との間で駆動する機構としては、第２レンズ群Ｌ２を保持する２群保持枠８２を電動モータ等で駆動する機構が考えられるが、この場合には、レンズ鏡筒１が大型化する可能性がある。
また、先端部にカム面が形成された突起をＣＣＤ台１１に設け、沈胴動作時に２群支持部８０がＣＣＤ台１１に接近する際に、この突起によって２群保持枠８２を退避位置に駆動する機構が考えられる。しかし、この場合には、ＣＣＤ台１１に２群保持枠８２からの反力が光軸方向に作用するので、ＣＣＤ台１１を補剛等する必要がある。
これに対し、本実施形態のレンズ鏡筒１は、回転カム筒７０の内周面に形成した駆動溝７２と、２群保持枠８２に形成した突起８５とで２群保持枠８２を駆動するので、レンズ鏡筒１を小型化することができる。また、ＣＣＤ台１１を補剛する必要もない。
（２）第２レンズ群Ｌ２を撮影位置に付勢するねじりバネ８４を設けたので、撮影時における第２レンズ群Ｌ２の位置が安定する。また、このねじりバネ８４に２群保持枠８２を撮影位置で２群支持部８０の本体部８１に付勢する付勢バネの機能を持たせたので、スペース効率がよい。
（３）図１に示す撮影状態では、位置決め面部８３ｅが本体部８１に当接することによって第２レンズ群の位置を規定するので、凸部８８に負荷が掛かることを防止できる。
（４）突起８５を軸受部８２ｃに設けたので、軸受部８２ｃの少ない回転量で第２レンズ群Ｌ２を大きく移動させることができる。
（５）撮影状態において、第２レンズ群Ｌ２とシャッタユニット９０との光軸方向の位置が重ならないレンズ鏡筒に比べ、本実施形態のレンズ鏡筒１は、第２レンズ群Ｌ２とシャッタユニット９０とを接近させることができるので、光軸方向の寸法を短くできる。また、第１レンズ群Ｌ１と第２レンズ群Ｌ２とが接近するので、光学系全体の光学性能の確保の点で有利になる。
（６）駆動溝７２を光軸に平行に設けたので、２群保持枠８２が回転動作に連動して光軸方向に移動しても、突起８５が回転カム筒７０の内周面７０ａに乗り上げることがない。
（７）逃げ溝７３をカム溝７１と平行に設けたので、２群支持部８０を光軸方向に駆動する際に、２群保持枠８２が回転せず、第２レンズ群Ｌ２を撮影位置に保持できる。
（８）２群保持枠８２を光軸方向に駆動するためのカム面８７、８９を、回転軸８３周りに２箇所設けたので、安定して２群保持枠８２を光軸方向に駆動できる。
【００４０】
［変形形態］
本発明は、以上説明した実施形態に限定されることなく、以下に示すような種々の変形や変更が可能であって、これらも本発明の技術的範囲内に含まれる。
（１）実施形態のレンズ鏡筒は、退避光学系である第２レンズ群を光軸方向に駆動する回転カム筒に第２レンズ群を退避位置と撮影位置との間で駆動する駆動溝（凹部）を形成したが、駆動溝はこれに限らず、他の部材（例えば、専用の移動部材）に形成してもよい。
（２）実施形態は、逃げ溝をカム溝に平行に設けたが、突起が回転カム筒の内周面に乗り上げなければこれに限らず、例えば、回転カム筒の内周面を実施形態よりも広い範囲で凹ませてもよい。
（３）実施形態の突起は、軸受部において回転軸を挟んで腕部の反対側に設けたが、これに限らず、軸受部の他の部分に設けてもよい。
（４）実施形態のレンズ鏡筒はカメラに備えられたが、これに限らず、例えば、望遠鏡や双眼鏡等の他の光学機器に設けられてもよい。
【図面の簡単な説明】
【００４１】
【図１】実施形態のレンズ鏡筒の断面図であり、撮影状態を示している。
【図２】図１に示すレンズ鏡筒の沈胴状態を示している。
【図３】図１に示すレンズ鏡筒に備えられた回転カム筒及び２群支持部を光軸方向からみた平面図（退避位置）である。
【図４】図１に示すレンズ鏡筒に備えられた回転カム筒の内周面を示す展開図である。
【図５】図１に示すレンズ鏡筒に備えられた回転カム筒及び２群支持部を光軸方向からみた平面図（移動途中）である。
【図６】図１に示すレンズ鏡筒に備えられた回転カム筒及び２群支持部を光軸方向からみた平面図（撮影位置）である。
【図７】図１に示すレンズ鏡筒に備えられた２群保持枠の軸受構造を示す図である。
【図８】図１に示すレンズ鏡筒に備えられた回転カム筒及び２群支持部を光軸方向からみた平面図（ワイド位置）である。
【符号の説明】
【００４２】
１  レンズ鏡筒  ：  ７０  回転カム筒  ：  ７０  内周面部  ：  ７２  駆動溝  ：  ８２  ２群保持枠  ：  ８３  回転軸  ：  ８５  突起  ：  Ｌ２  第２レンズ群
【図１】
2010026163.tif 000003
【図２】
2010026163.tif 000004
【図３】
2010026163.tif 000005
【図４】
2010026163.tif 000006
【図５】
2010026163.tif 000007
【図６】
2010026163.tif 000008
【図７】
2010026163.tif 000009
【図８】
2010026163.tif 000010